(57)【要約】【課題】浴槽に供給される液体に対して十分に気体を混合するための混合機能を有する温浴装置を提供することを目的とする。【解決手段】この発明に係る温浴装置は、混合槽２０と、混合槽２０から液体と気体との混合液が供給される気体回収槽３０と、気体回収槽３０から液体と気体との混合液が供給される腕用浴槽１１および脚用浴槽１２と、混合槽２０から気体回収槽３０に混合液を供給する第１の管路７１と、気体回収槽３０から腕用浴槽１１に混合液を供給する第２の管路７２と、脚用浴槽１２から混合槽２０に混合液を回収する回収路７３と、気体回収槽３０において混合液から流出した気体を回収路７３に供給する気体回収路７４と、を備える。脚用浴槽１２には、腕用浴槽１１からオーバーフロー管７５を介して混合液が供給される。【選択図】        図３
2007143569.tif 000002
【特許請求の範囲】
【請求項１】
混合槽と、
前記混合槽から液体と気体との混合液が供給される気体回収槽と、
前記気体回収槽から液体と気体との混合液が供給される浴槽と、
前記混合槽から前記気体回収槽に混合液を供給する第１の管路と、
前記気体回収槽から前記浴槽に混合液を供給する第２の管路と、
前記浴槽から前記混合槽に混合液を回収する回収路と、
前記混合槽に気体を供給する気体供給部と、
前記気体回収槽において混合液から流出した気体を前記回収路に供給する気体回収管路と、
を備えることを特徴とする混合機能を有する温浴装置。
【請求項２】
請求項１に記載の温浴装置において、
前記浴槽は、
腕部浴槽と、
脚部浴槽と、
前記腕部浴槽から前記脚部浴槽に混合液を供給する供給路と、
を備える混合機能を有する温浴装置。
【請求項３】
請求項１または請求項２に記載の温浴装置において、
前記第１の管路は、上流側を天地方向下方に、下流側を天地方向上方に、配置し、
前記第２の管路は、上流側を天地方向下方に、下流側を天地方向上方に、配置する混合機能を有する温浴装置。
【請求項４】
請求項１ないし請求項３のいずれかに記載の温浴装置において、
前記回収路または前記混合槽において液体と気体とを混合する循環手段をさらに備える混合機能を有する温浴装置。
【請求項５】
請求項１ないし請求項４のいずれかに記載の温浴装置において、
前記気体は二酸化炭素である混合機能を有する温浴装置。
【請求項６】
請求項１ないし請求項５のいずれかに記載の温浴装置において、
前記混合槽に貯留される混合液の体積を前記混合槽内部の体積に対して所定の割合以上に維持する貯留量維持手段を備える混合機能を有する温浴装置。
【請求項７】
請求項６に記載の温浴装置において、
前記貯留量維持手段は、前記混合槽内に配置される水位センサと、前記水位センサの情報を受けて、前記混合槽への混合液の供給、気体の供給、および、前記混合槽からの混合液の流出を制御する制御部と、からなる混合機能を有する温浴装置。
【請求項８】
請求項６または請求項７に記載の温浴装置において、
前記貯留量維持手段における所定の割合は、前記混合槽に貯留される混合液の体積を前記混合槽内部の体積に対する１／２以上である混合機能を有する温浴装置。
【請求項９】
請求項１ないし請求項８のいずれかに記載の温浴装置において、
前記第１の管路の混合液の流量を制御する絞り弁を備える混合機能を有する温浴装置。
【発明の詳細な説明】
【技術分野】
【０００１】
この発明は、浴槽に供給するための液体に対して気体を混合するための混合機能を有する温浴装置に関する。
【背景技術】
【０００２】
このような浴槽に供給するための液体に対して気体を混入する装置として、特許文献１に記載の装置が知られている。
【０００３】
特許文献１に記載の装置は、浴槽と、浴槽に噴流を噴出するジェットノズルと、ジェットノズルに空気流入管を介して接続されるエアインテークと、を備える。
【０００４】
このため、特許文献１に記載の装置によれば、浴槽に気体が混合した液体を供給することができ、温浴効果を高めることが可能となる。
【特許文献１】特開２００１−１４５６７６号
【発明の開示】
【発明が解決しようとする課題】
【０００５】
しかしながら、特許文献１に記載の装置によれば、浴槽に供給するための液体に対して、単に空気流入管により気体を供給するのみであるため、十分に気体を混合することができない。このように気体を十分に混合することができなければ、浴槽に供給された液体から気体が即座に流出してしまい、十分な温浴効果を得ることができない。また、一旦液体中に混合した気体が、液体の循環中に液体から乖離する場合もある。
【０００６】
このため、この発明は、以上のような課題を解決するためになされたものであり、浴槽に供給される液体に対して十分に気体を混合するための混合機能を有する温浴装置を提供することを目的とする。
【課題を解決するための手段】
【０００７】
請求項１に記載の発明は、混合槽と、前記混合槽から液体と気体との混合液が供給される気体回収槽と、前記気体回収槽から液体と気体との混合液が供給される浴槽と、前記混合槽から前記気体回収槽に混合液を供給する第１の管路と、前記気体回収槽から前記浴槽に混合液を供給する第２の管路と、前記浴槽から前記混合槽に混合液を回収する回収路と、前記混合槽に気体を供給する気体供給部と、前記気体回収槽において混合液から流出した気体を前記回収路に供給する気体回収管路と、を備えることを特徴とする。
【０００８】
請求項２に記載の発明は、請求項１に記載の浴槽用混合装置において、前記浴槽は、腕部浴槽と、脚部浴槽と、前記腕部浴槽から前記脚部浴槽に混合液を供給する供給路と、を備える。
【０００９】
請求項３に記載の発明は、請求項１または請求項２に記載の浴槽用混合装置において、前記第１の管路は、上流側を天地方向下方に、下流側を天地方向上方に、配置し、前記第２の管路は、上流側を天地方向下方に、下流側を天地方向上方に、配置する。
【００１０】
請求項４に記載の発明は、請求項１ないし請求項３のいずれかに記載の浴槽用混合装置において、前記回収路または前記混合槽において液体と気体とを混合する循環手段をさらに備える。
【００１１】
請求項５に記載の発明は、請求項１ないし請求項４のいずれかに記載の浴槽用混合装置において、前記気体は二酸化炭素である。
【００１２】
請求項６に記載の発明は、請求項１ないし請求項５のいずれかに記載の温浴装置において、前記混合槽に貯留される混合液の体積を前記混合槽内部の体積に対して所定の割合以上に維持する貯留量維持手段を備える。
【００１３】
請求項７に記載の発明は、請求項６に記載の温浴装置において、前記貯留量維持手段は、前記混合槽内に配置される水位センサと、前記水位センサの情報を受けて、前記混合槽への混合液の供給、気体の供給、および、前記混合槽からの混合液の流出を制御する制御部と、からなる。
【００１４】
請求項８に記載の発明は、請求項６または請求項７に記載の温浴装置において、前記貯留量維持手段における所定の割合は、前記混合槽に貯留される混合液の体積を前記混合槽内部の体積に対する１／２以上である。
【００１５】
請求項９に記載の発明は、請求項１ないし請求項７のいずれかに記載の温浴装置において、前記第１の管路の混合液の流量を制御する絞り弁を備える。
【発明の効果】
【００１６】
請求項１に記載の発明によれば、気体回収槽において混合液から流出した気体を回収路に供給する気体回収管路を備えることから、浴槽に供給される液体に対して十分に気体を混合することが可能となる。
【００１７】
請求項２に記載の発明によれば、浴槽は、腕部浴槽と、脚部浴槽と、腕部浴槽から脚部浴槽に混合液を供給する供給路とを備えることから、腕部および脚部において十分な温浴効果を得ることが可能となる。
【００１８】
請求項３に記載の発明によれば、第１の管路は、上流側を天地方向下方に、下流側を天地方向上方に、配置し、第２の管路は、上流側を天地方向下方に、下流側を天地方向上方に、配置することから、混合液を加圧しながら第２混合槽または浴槽に供給することができるため、液体に対して十分に気体を混合することが可能となる。
【００１９】
請求項４に記載の発明によれば、回収路または混合槽において液体と気体とを混合する循環手段をさらに備えることから、気体回収槽または浴槽において気体を循環させる場合と比べて、液体と気体との接触する機会が多くなり、液体に対してさらに十分に気体を混合することが可能となる。
【００２０】
請求項５に記載の発明によれば、気体は二酸化炭素であることから、温浴効果を高めることが可能となる。
【００２１】
請求項６および請求項８に記載の発明によれば、混合槽に貯留される混合液の体積を混合槽内部の体積に対して所定の割合以上に維持する貯留量維持手段を備えることから、混合槽から気体回収槽への混合液の流出をスムースに行うことが可能となる。
【００２２】
請求項７に記載の発明によれば、貯留量維持手段は、混合槽内に配置される水位センサと、水位センサの情報を受けて、混合槽への混合液の供給、気体の供給、および、混合槽からの混合液の流出を制御する制御部と、からなることから、簡易な構成でありながら、混合槽に貯留される混合液の体積を制御することが可能となる。
【００２３】
請求項９に記載の発明によれば、第１の管路の混合液の流量を制御する絞り弁を備えることから、第１の管路内を常に加圧状態に維持することが可能となる。
【発明を実施するための最良の形態】
【００２４】
以下、この発明の第１実施形態について図面に基づいて説明する。図１は、この発明の第１実施形態に係る温浴装置を示す斜視図である。また、図２は、その側方から一部を断面にして示す要部断面図である。
【００２５】
この温浴装置は、座部２１１と背凭れ部２１２とを有する椅子２１０と、椅子２１０における座部２１１の下方に配置される脚用浴槽１２と、椅子２１０における座部２１１の各側方に配置される一対の腕用浴槽１１と、腕用浴槽１１および脚用浴槽１２に流入出する混合液の処理を行う混合装置１とを備える。
【００２６】
この温浴装置は、このように脚用浴槽１２と、一対の腕用浴槽１１とを備えることから、局所的に体内の血行を促進させることが可能となる。
【００２７】
この腕用浴槽１１および脚用浴槽１２は、その内壁に複数の短冊状の木製の板部材が敷設される。なお、この板部材は檜からなる。このため、美観や芳香性に優れた効果を奏し、特に、ヒノキチオール成分を腕用浴槽１１および脚用浴槽１２内に貯留される混合液に溶解させることが可能となる。また、板部材は、厚み５ｍｍ乃至７ｍｍ、長さ２４ｍｍ乃至２７ｍｍ程度の大きさで構成されていることが好ましい。ただし、板部材は、この大きさに限られるものではない。また、腕用浴槽１１および脚用浴槽１２は、例えば、不錆金属や合成樹脂等の水密性の材料からなる。このため、内壁に敷設される木製の板部材から液体が漏れたとしても、腕用浴槽１１および脚用浴槽１２の外部へ混合液が漏れることがない。また、板部材は、腕用浴槽１１および脚用浴槽１２に着脱自在に敷設される。このため、板部材の状態が悪化した場合でも、簡易に板部材を取り替えることが可能となる。
【００２８】
図３は、この発明の第１実施形態に係る温浴装置を模式的に示す図である。
【００２９】
この発明の第１実施形態に係る温浴装置は、混合槽２０と、混合槽２０から液体と気体との混合液が供給される気体回収槽３０と、気体回収槽３０から液体と気体との混合液が供給される腕用浴槽１１および脚用浴槽１２と、混合槽２０から気体回収槽３０に混合液を供給する第１の管路７１と、気体回収槽３０から腕用浴槽１１に混合液を供給する第２の管路７２と、脚用浴槽１２から混合槽２０に混合液を回収する回収路７３と、気体回収槽３０において混合液から流出した気体を回収路７３に供給する気体回収路７４と、を備える。脚用浴槽１２には、腕用浴槽１１からオーバーフロー管７５を介して混合液が供給される。このような構成から、気体回収槽３０において混合液から流出した気体を回収路７３に供給する気体回収管路７４を備えることから、腕用浴槽１１および脚用浴槽１２に供給される液体に対して十分に気体を混合することが可能となる。
【００３０】
特に、混合液が細い管路から腕用浴槽１１、脚用浴槽１２や第１、気体回収槽２０、３０等の大きい貯留槽に流入するときには、高圧力から低圧力へと環境が変化することとなる。このような場合には、混合液に含まれる気体の一部が液体から乖離して細かい泡となって流出してしまうという問題が発生する。このとき、腕用浴槽１１または脚用浴槽１２に対して十分に混合されていない混合液が供給されるとすると、上部が大気開放された腕用浴槽１１および脚用浴槽１２から液体から乖離した気体の泡が流出してしまうという問題が発生する。しかし、この発明においては、気体回収槽３０において、液体から流出した十分に混合されていない気体を気体回収路７４を介して回収路７３に供給することから、十分に混合されていなかった気体と液体とを十分に混合することが可能となる。そして、十分に混合された混合液のみを腕用浴槽１１および脚用浴槽１２に供給することが可能となる。
【００３１】
混合槽２０には、管路７６を介して気体供給部４０からの気体が供給される。また、回収路７３には、管路７７を介して液体供給部５０からの液体が供給される。なお、この第１実施形態においては、気体として二酸化炭素を、液体として温水を利用している。このため、温浴効果を高めることができる。
【００３２】
また、この第１実施形態においては、回収路７３に循環ポンプ３１およびヒータ６１が接続され、回収路７３において、液体と気体とを混合し、この混合液を加熱することとしている。なお、この循環ポンプ３１およびヒータ６１は、混合槽２０内に配設されてもよ、また、第１の混合層２０の混合液を循環するように混合槽２０の外部に配設されてもよい。
【００３３】
第１の管路７１および第２の管路７２は、上流側を天地方向下方に、下流側を天地方向上方に、配置される。このため、第１の管路７１および第２の管路７２中において混合液を加圧しながら気体回収槽３０や腕用浴槽１１、脚用浴槽１２に供給することができ、この第１の管路７１および第２の管路中で、液体に対して十分に気体を混合させることが可能となる。
【００３４】
なお、第１の管路７１、第２の管路７２、回収路７３、気体回収路７４、管路７６、および、管路７７は、それぞれ開閉弁８１、８２、８３、８４、８６、８７と接続されている。このため、腕用浴槽１１、脚用浴槽１２、混合槽２０、および、気体回収槽３０への液体、気体、混合液の流入出量を簡易に制御することが可能となる。なお、これらの開閉弁８１、８２、８３、８４、８６、８７は、開閉弁駆動手段８０により電気信号を受けて駆動される。
【００３５】
また、混合槽２０と気体回収槽３０に貯留可能な混合液の総量は、腕用浴槽１１および脚用浴槽１２に貯留可能な混合液の総量の１／２以上となるように設定されている。このため、混合槽２０および気体回収槽３０において、腕用浴槽１１および脚用浴槽１２に供給するための多量の混合液を処理することが可能となる。これにより、腕用浴槽１１および脚用浴槽１２に対して混合液を安定して供給することが可能となる。
【００３６】
また、混合槽２０には、その上方にエアー抜きのための開口部が形成される。この開口部は、開閉弁８５と接続され、開閉自在に制御される。
【００３７】
また、回収路７３における混合槽２０への流入部に対して、供給管１６０が接続されている。この供給管１６０には、多数の孔部１６１が穿設されている。このように、供給管１６０を接続することにより、回収路７３を通過した混合液がさらに多数の孔部１６１を通過して混合槽２０に供給される。このため、混合液が混合槽２０内にシャワー状に放出され、気体の溶解効率をさらに高めることが可能となる。
【００３８】
また、供給管１６０は、回収路７３における混合槽２０内に挿通された部分に接続されていれば、混合液中に浸漬されている状態であっても、浸漬されていない状態であっても有効である。混合液中に浸漬されている状態であれば、多数の孔部１６１から混合液が流出することにより、混合槽２０中に対流が発生する。このため、混合槽２０内部の液体と気体とを十分に混合することが可能となる。一方、混合液中に浸漬されていない状態であれば、多数の孔部１６１から流出する混合液がより多くの気体と接触する。このため、混合槽２０内部の液体と気体とを十分に混合することが可能となる。
【００３９】
図４は、気体回収路７４と回収路７３との接合部分を拡大して示す図である。
【００４０】
図４に示すように、気体回収路７４の先端部が回収路７３内に挿入されるように構成される。このような構成から、回収路７３において気体回収路７４が挿入される部分では、管内の断面積が小さくなることにより混合液の流速が早まる。その結果、気体回収路７４から回収路７３内に流出する気体を混合液中に十分に混合することが可能となる。このとき、気体回収路７４を軟性の材質により構成することにより、容易に脚用浴槽１２の内部、および、脚用浴槽１２と混合槽２０とを接続する回収路７３内部を挿通させることを可能とする。
【００４１】
なお、この第１実施形態においては、気体回収路７４の先端部を回収路７３の内部に挿通させることにより、一のポンプ３１により回収路７３内の混合液を吸引することと気体回収路７４内の気体を吸引することを可能としている。
【００４２】
また、気体回収路７４から流出する気体を混合させる部分は回収路７３中にあるので、図３においては、便宜上、気体回収路７４が脚用浴槽１２の外側を通って回収路７３と接続するように図示している。
【００４３】
図５は、この発明の第１実施形態に係る温浴装置の主要な電気的構成を示すブロック図である。
【００４４】
この温浴装置は、装置の制御に必要な動作プログラムが格納されたＲＯＭ１１１と制御時にデータ等が一時にストアされるＲＡＭ１１２と、論理演算を実行するＣＰＵ１１３とからなる制御部１１０を備える。この制御部１１０は、浴槽用混合装置における開閉弁駆動手段８０、浴槽の混合液量を検知可能な浴槽液量センサ１２０、混合槽２０の混合液量を検知可能な混合槽液量センサ１３０、および、気体回収槽３０の混合液量を検知可能な気体回収槽液量センサ１４０に対してインターフェース１０４を介して接続されている。
【００４５】
図６は、この発明の第１実施形態に係る浴槽用混合装置による液体と気体との混合の工程を示すフロー図である。
【００４６】
この発明の第１実施形態に係る温浴装置を使用して液体と気体とを混合する場合には、まず、図３に示す開閉弁８３、８７を開放して液体供給部５０から回収路７３を介して混合槽２０へ液体を供給する（ステップＳ１）。ここで、液体供給部５０は、水道管等から水を加熱したものを供給するものであってもよい。
【００４７】
液体供給部５０から回収路７３を介して混合槽２０へ供給された液体が所定量以上になれば、開閉弁８７を閉止する（ステップＳ２、Ｓ３）。このように制御することにより、混合槽２０、気体回収槽３０、腕用浴槽１１、および、脚用浴槽１２に貯留する液体量を調整することが可能となる。
【００４８】
そして、開閉弁８６を開放して、混合槽２０に対して液体および気体を供給する（ステップＳ４）。このとき、混合槽２０に対して液体および気体が連続して供給されることにより、混合槽２０内で対流が発生する。この対流により、混合槽２０内に供給された液体と気体とが十分に混合される。
【００４９】
混合槽２０内に供給された液体が混合槽２０内において所定量に到達すれば、開閉弁８１を開放して、気体回収槽３０に対して混合液を供給する（ステップＳ５、６）。このとき、開閉弁８９を開放して、混合槽２０からエアー抜きをし、気体回収槽３０へスムースに混合液を供給する。また、このとき、第１の管路７１を通過する混合液が気体回収槽３０へ流入するときに、高圧力から低圧力へと環境が変化するため、混合液中の気体の一部が気泡となって液体と離れて流出する。そして、気体回収槽３０の上部領域には気体が滞留する。
【００５０】
次に、この第２混合槽３０の上部領域に滞留した気体を再び液体と混合させるため、開閉弁８４を開放して、気体を回収路７３に供給する（ステップＳ７）。
【００５１】
そして、気体回収槽３０内に供給された液体が気体回収槽３０内において所定量に到達すれば、開閉弁８２を開放して、腕用浴槽１１および脚用浴槽１２に対して混合液を供給する（ステップＳ８、９）。
【００５２】
これらの作業を終えた後、混合槽２０、気体回収槽３０、腕用浴槽１１、脚用浴槽１２内に貯留される混合液を排液したい場合には、それぞれと接続される図示しない排液管を通じて排液する。
【００５３】
次に、この発明の他の実施形態について図面に基づいて説明する。図７はこの発明の第２実施形態に係る浴槽用混合装置を模式的に示す図であり、図８はこの発明の第２実施形態に係る浴槽用混合装置の主要な電気的構成を示すブロック図である。
【００５４】
第２実施形態に係る温浴装置は、さらに、混合槽２０に貯留される混合液の体積を混合槽２０内部の体積の１／２以上に維持する貯留量維持手段を備える。つまり、混合槽２０には、混合槽２０内の混合液の混合槽２０内において占める割合を調整するための水位センサ１６２が配設される。この水位センサ１６２は、制御部１１０とインターフェース１０４を介して接続されている。
【００５５】
このような水位センサ１６２、制御部１１０、および、開閉弁８１を利用して、第２実施形態に係る浴槽用混合装置は、水位センサ１６２により混合槽２０内の混合液の水位が混合槽２０の１／２まで減少したときには、開閉弁７６を一旦閉止して気体供給部４０から混合槽２０への気体の供給を停止させる。また、開閉弁８１は、第１の管路７１を流れる混合液の流量を調整する絞り弁としての機能を備えている。したがって、これと同時に開閉弁８３、８５を開放し、または、開閉弁８１を調整して第１の管路７１の流量を減少させてもよい。このようにして、混合槽２０内の混合液の水位を常に混合槽２０の１／２以上となるように制御する。
【００５６】
第２実施形態に係る温浴装置は、このような貯留量維持手段を備えることから、混合槽２０に貯留される混合液の体積が混合槽２０内部の体積の１／２以下となった場合に第１の管路７１の流入口付近に気体溜りが発生するという問題を防止することができる。これにより、混合槽２０から気体回収槽３０への混合液の流出をスムースに行うことが可能となる。また、混合槽２０内に配置される水位センサ１６２と、水位センサ１６２の情報を受けて、混合槽２０への混合液の供給、気体の供給、および、混合槽２０からの混合液の流出を制御する制御部１１０と、からなることから、簡易な構成でありながら、混合槽２０に貯留される混合液の体積を制御することが可能となる。なお、水位センサ１６２として混合槽液量センサ１３０を利用してもよい。
【００５７】
また、第２実施形態に係る温浴装置は、第１の管路７１が上流側を天地方向下方に、下流側を天地方向上方に配置されない場合であっても、開閉弁８１の絞り調整により、第１の管路７１中において混合液を加圧しながら気体回収槽３０に供給することができ、この第１の管路７１中で、液体に対して十分に気体を混合させることが可能となる。
【００５８】
図９はこの発明の第３実施形態に係る浴槽用混合装置を利用した温浴装置を前面から示す斜視図であり、図１０はこの発明の第３実施形態に係る浴槽用混合装置を利用した温浴装置を背面から示す斜視図である。
【００５９】
第１実施形態に係る温浴装置は、単一人の利用を目的とした、座部２１１と背凭れ部２１２とを有する椅子２１０と、椅子２１０における座部２１１の下方に配置される脚用浴槽１２と、椅子２１０における座部２１１の各側方に配置される一対の腕用浴槽１１とを備えるものであるのに対し、第３実施形態に係る温浴装置は、同時に複数人の利用を可能とする、長椅子３１０と長椅子３１０の前方に並設される腕用浴槽３０１および脚用浴槽３０２とを備えるものである。第３実施形態に係る温浴装置は、このような構成から、複数人が同時に温浴装置を利用することが可能となる。なお、腕用浴槽３０１と脚用浴槽３０２とは、柱３０３により上下方向に接続される。これにより、省スペースでありながら、複数人が同時に温浴装置を利用することが可能となる。
【００６０】
なお、上述した実施形態においては、気体回収路７４を回収路７３に接続する構成としているが、気体回収路７４を混合槽２０に直接接続してもよく、また、気体回収槽３０に接続してもよい。
【００６１】
また、上述した実施形態においては、気体回収路７４の先端部が回収路７３内に挿入される構成としているが、気体回収路７４を回収路７３に対して外部から接続される構成としてもよい。
【００６２】
また、上述した実施形態においては、管路７２が開閉弁８２と接続される構成としているが、開閉弁８２と接続されることなく直接腕用浴槽１１または脚用浴槽１２に接続される構成としてもよい。
【００６３】
また、上述した実施形態においては、回収路７３から混合槽２０へ流入する混合液、第１の管路７１から気体回収槽３０へ流入する混合液、および、第２の管路７２から腕用浴槽１１および脚用浴槽１２へ流入する混合液を、ジェット噴流により流入させてもよい。この場合には、流入先の混合液に対流が発生し、液体と気体とを十分に混合させることが可能となる。
【００６４】
また、上述した実施形態においては、気体供給部４０から供給される気体を二酸化炭素とし、液体供給部５０から供給される液体を水としているが、それ以外の気体および液体であってもよい。
【００６５】
また、上述した実施形態においては、混合槽２０に対して気体供給部４０の他に、例えば体内の血行を促進する効果を奏する有機ゲルマニウム等を供給する血行促進物供給部を備えてもよい。この場合にも、混合槽２０等において血行促進物を混合液に適度に溶解させることが可能となる。
【００６６】
さらに、上述した第２実施形態においては、混合槽２０に貯留される混合液の体積を混合槽２０内部の体積の１／２以上に維持する貯留量維持手段を備えるが、混合槽２０に貯留される混合液の体積を混合槽２０内部の体積に対して他の割合、たとえば、２／３以上や３／５以上等に設定してもよい。ただし、第１の管路７１の流入口付近に気体溜りが発生するという問題を防止するためには、特に１／２以上とすることが好ましい。
【図面の簡単な説明】
【００６７】
【図１】この発明の第１実施形態に係る浴槽用混合装置を利用した温浴装置を示す斜視図である。
【図２】その側方から一部を断面にして示す要部断面図である。
【図３】この発明の第１実施形態に係る浴槽用混合装置を模式的に示す図である。
【図４】気体回収路７４と回収路７３との接合部分を拡大して示す図である。
【図５】この発明の第１実施形態に係る浴槽用混合装置の主要な電気的構成を示すブロック図である。
【図６】この発明の第１実施形態に係る浴槽用混合装置による液体と気体との混合の工程を示すフロー図である。
【図７】この発明の第２実施形態に係る浴槽用混合装置を模式的に示す図である。
【図８】この発明の第２実施形態に係る浴槽用混合装置の主要な電気的構成を示すブロック図である。
【図９】この発明の第３実施形態に係る浴槽用混合装置を利用した温浴装置を前面から示す斜視図である。
【図１０】この発明の第１実施形態に係る浴槽用混合装置を利用した温浴装置を背面から示す斜視図である。
【符号の説明】
【００６８】
１１    腕用浴槽
１２    脚用浴槽
２０    混合槽
３０    気体回収槽
３１    循環ポンプ
４０    気体供給部
５０    液体供給部
６１    ヒータ
７１    第１の管路
７２    第２の管路
７３    回収路
７４    気体回収路
７５    オーバーフロー管
７６    管路
７７    管路
８０    開閉弁駆動手段
８１    開閉弁
８２    開閉弁
８３    開閉弁
８４    開閉弁
８６    開閉弁
８７    開閉弁
１１０  制御部
１１１  ＲＯＭ
１１２  ＲＡＭ
１１３  ＣＰＵ
１１４  インターフェース
１２０  浴槽液量センサ
１３０  混合槽液量センサ
１４０  気体回収槽液量センサ
１６０  供給管
１６１  孔部
１６２  水位センサ
２１０  椅子
２１１  座部
２１２  背凭れ部
３０１  腕用浴槽
３０２  脚用浴槽
３０３  柱
３１０  長椅子
【図１】
2007143569.tif 000003
【図２】
2007143569.tif 000004
【図３】
2007143569.tif 000005
【図４】
2007143569.tif 000006
【図５】
2007143569.tif 000007
【図６】
2007143569.tif 000008
【図７】
2007143569.tif 000009
【図８】
2007143569.tif 000010
【図９】
2007143569.tif 000011
【図１０】
2007143569.tif 000012